(57)【要約】【課題】車両用オーディオ装置を仮保持して容易に取付けることができるようにする。【解決手段】各ロケート穴１４を横長穴２２とすると共に、少なくとも一方のロケートピン１３ａに、嵌合初期にオーディオ用ブラケット５をロケートピン１３の軸心位置と横長穴の中央部とが一致するように横変位させるガイド部２３と、嵌合後期に横長穴２２にタイトロケート可能なタイトロケート部２４とを有するガイドリブ２５を設け、他方のロケートピン１３ｂ上方の周辺位置に、オーディオ用ブラケット５を、挿入時には素通可能で且つ手離時には係止可能な仮保持用係止部２６を設けるようにしている。【選択図】図１
2007176310.tif 000002
【特許請求の範囲】
【請求項１】
インストルメントパネルに、車両用オーディオ装置を挿入配置可能なオーディオ取付部を形成し、前記車両用オーディオ装置の両側部に取付けたオーディオ用ブラケットと前記オーディオ取付部の対応する縁面とを当接固定可能に構成し、
該オーディオ取付部の両側縁面から車両用オーディオ装置の挿入方向へ向けてほぼ円柱状のロケートピンをそれぞれ突設すると共に、各ロケートピンを嵌合可能なロケート穴を各オーディオ用ブラケットにそれぞれ形成した車両用オーディオ仮保持構造において、
前記各ロケート穴を横長穴とすると共に、少なくとも一方のロケートピンに、嵌合初期にオーディオ用ブラケットをロケートピンの軸心位置と横長穴の中央部とが一致するように横変位させるガイド部と、嵌合後期に横長穴にタイトロケート可能なタイトロケート部とを有するガイドリブを設け、
他方のロケートピン上方の周辺位置に、オーディオ用ブラケットを、挿入時には素通可能で且つ手離時には係止可能な仮保持用係止部を設けたことを特徴とする車両用オーディオ仮保持構造。
【発明の詳細な説明】
【技術分野】
【０００１】
この発明は、車両用オーディオ仮保持構造に関するものである。
【背景技術】
【０００２】
自動車などの車両には、車室内の前部にインストルメントパネルが設けられている。このインストルメントパネルには、通常、車幅方向のほぼ中間部における運転席と助手席との間位置に、車両用オーディオ装置が取付けられている（例えば、特許文献１参照）。
【０００３】
このような車両用オーディオ装置は、例えば、以下のようにしてインストルメントパネルに取付けられている。
【０００４】
即ち、図８に示すように、インストルメントパネル１には、開口部や切欠部などのオーディオ取付部が形成されている。このオーディオ取付部に対し、車両用オーディオ装置２を、ほぼ車両後方（車室内側）からほぼ車両前方へ向けて挿入配置する（挿入方向１２）。ここで、車両用オーディオ装置２は、所定の規格寸法を有する規格品である。そして、車両用オーディオ装置２の両側部に取付けたオーディオ用ブラケット５と、オーディオ取付部の縁面６とを当接させて、ネジ７で締結固定する。
【０００５】
ここで、各オーディオ用ブラケット５は、車両用オーディオ装置２の側部に当接してネジ８で固定可能な縦面部９と、この縦面部９の前端から面直外方へ張出す横面部１０とを有する平面視ほぼＬ字状を呈している。なお、縦面部９と横面部１０とは、均一肉厚の金属板を曲げることによって形成されている。そして、上記の締結固定により、車両用オーディオ装置２は、水平か或いは水平よりも若干奥側が下がりに傾斜した状態で、オーディオ取付部に取付けられる。また、必要に応じ、インストルメントパネル１の表面には、車両用オーディオ装置２の前面とほぼ面一な化粧パネル１１が取付けられる。
【０００６】
そして、インストルメントパネル１に対して車両用オーディオ装置２を取付ける際には、オーディオ取付部の両側縁面６から車両用オーディオ装置２の挿入方向１２へ向けて突設されたほぼ円柱状のロケートピン１３と、各オーディオ用ブラケット５にそれぞれ形成された対応する円形のロケート穴１４とを嵌合させることによって、位置決めが行われている。
【特許文献１】特開平８−２９５１５８号公報
【発明の開示】
【発明が解決しようとする課題】
【０００７】
しかしながら、上記した車両用オーディオ装置２の取付構造では、横向きのロケートピン１３にロケート穴１４を嵌合させることによって位置決めを行わせるようにしていたが、この構造だと、手を離した時に車両用オーディオ装置２が自重で脱落してしまうおそれがあり、仮保持ができないという問題や、これに伴って、手で支えながら締結固定を行わなければならないことにより取付作業に手間がかかるという問題があった。
【０００８】
このことは、車両用オーディオ装置２の重心１５よりもロケートピン１３およびロケート穴１４の方が奥側（前側）となる場合、例えば、車両用オーディオ装置２の側部にスイッチ類などを配置するために、ロケートピン１３とロケート穴１４との位置を奥側に設定せざるを得ないような場合に、特に問題となる。
【課題を解決するための手段】
【０００９】
上記課題を解決するために、請求項１に記載された発明では、インストルメントパネルに、車両用オーディオ装置を挿入配置可能なオーディオ取付部を形成し、前記車両用オーディオ装置の両側部に取付けたオーディオ用ブラケットと前記オーディオ取付部の対応する縁面とを当接固定可能に構成し、該オーディオ取付部の両側縁面から車両用オーディオ装置の挿入方向へ向けてほぼ円柱状のロケートピンをそれぞれ突設すると共に、各ロケートピンを嵌合可能なロケート穴を各オーディオ用ブラケットにそれぞれ形成した車両用オーディオ仮保持構造において、前記各ロケート穴を横長穴とすると共に、少なくとも一方のロケートピンに、嵌合初期にオーディオ用ブラケットをロケートピンの軸心位置と横長穴の中央部とが一致するように横変位させるガイド部と、嵌合後期に横長穴にタイトロケート可能なタイトロケート部とを有するガイドリブを設け、他方のロケートピン上方の周辺位置に、オーディオ用ブラケットを、挿入時には素通可能で且つ手離時には係止可能な仮保持用係止部を設けた車両用オーディオ仮保持構造を特徴としている。
【発明の効果】
【００１０】
請求項１の発明によれば、各ロケート穴を横長穴とすると共に、少なくとも一方のロケートピンに、嵌合初期にオーディオ用ブラケットをロケートピンの軸心位置と横長穴の中央部とが一致するように横変位させるガイド部と、嵌合後期に横長穴にタイトロケート可能なタイトロケート部とを有するガイドリブを設け、他方のロケートピン上方の周辺位置に、オーディオ用ブラケットを、挿入時には素通可能で且つ手離時には係止可能な仮保持用係止部を設けたことにより、オーディオ用ブラケットを仮保持用係止部とは反対の側へ片寄せた状態でロケートピンにロケート穴を嵌合する操作を行うだけで、嵌合初期にガイドリブのガイド部がオーディオ用ブラケットをロケートピンの軸心位置と横長穴の中央部とが一致するように横変位させ、嵌合後期にガイドリブのタイトロケート部が横長穴をタイトロケートさせると共に、仮保持用係止部が、嵌合後期にオーディオ用ブラケットを係止した状態となることにより、手を離しても仮保持用係止部によって車両用オーディオ装置を仮保持しておくことが可能となり、その分、取付作業を容易化することができる。そして、このような構成とすることにより、車両用オーディオ装置の側部にスイッチ類などを配置するために、ロケートピンとロケート穴との位置を車両用オーディオ装置の重心よりも奥側にせざるを得ないような場合であっても、車両用オーディオ装置を仮保持して容易に取付けることができる。
【発明を実施するための最良の形態】
【００１１】
車両用オーディオ装置を仮保持して容易に取付けることができるようにするという目的を、各ロケート穴を横長穴とすると共に、少なくとも一方のロケートピンに、嵌合初期にオーディオ用ブラケットをロケートピンの軸心位置と横長穴の中央部とが一致するように横変位させるガイド部と、嵌合後期に横長穴にタイトロケート可能なタイトロケート部とを有するガイドリブを設け、他方のロケートピン上方の周辺位置に、オーディオ用ブラケットを、挿入時には素通可能で且つ手離時には係止可能な仮保持用係止部を設ける、という手段で実現した。
【実施例】
【００１２】
以下、本発明を具体化した実施例について、図示例と共に説明する。
【００１３】
図１〜図７は、この発明の実施例を示すものである。なお、基本的な構造については、図８を用いて説明したものとほぼ同様なので、必要に応じてこれらの図面を参照すると共に、これらに対する記載を以てこの実施例の説明とすることができる。この際、同一ないし均等な部分については、同一の符号を付すようにしている。
【００１４】
まず、この実施例の理解に必要な基本的構成について簡単に説明すると、図１〜図３に示すように、インストルメントパネル１に、車両用オーディオ装置２を挿入配置可能なオーディオ取付部３を形成する。このオーディオ取付部３は、開口部や切欠部などとされ、インストルメントパネル１の成形時に同時に形成されるものである。そして、上記車両用オーディオ装置２の両側部に取付けたオーディオ用ブラケット５と上記オーディオ取付部３の対応する縁面６とを当接状態にして、ネジ７で締結固定する。
【００１５】
このオーディオ取付部３の両側縁面６から車両用オーディオ装置２の挿入方向１２へ向けてほぼ円柱状のロケートピン１３をそれぞれ突設すると共に、各ロケートピン１３を嵌合可能なロケート穴１４を各オーディオ用ブラケット５にそれぞれ形成して、位置決機構２１を構成する。なお、各ロケートピン１３は、先端に丸め処理を施すことにより、挿入ガイド機能を付与されている。
【００１６】
以上のような基本的構成に対し、この実施例のものでは、上記各ロケート穴１４を横長穴２２とする。
【００１７】
そして、少なくとも一方のロケートピン１３ａに、嵌合初期にオーディオ用ブラケット５をロケートピン１３の軸心位置と横長穴の中央部とが一致するように横変位させるガイド部２３と、嵌合後期に横長穴２２にタイトロケート可能なタイトロケート部２４とを有するガイドリブ２５を設ける。このガイドリブ２５は、一方のロケートピン１３ａの両側部に設けられる。タイトロケート部２４は、横長穴２２とロケートピン１３ａとの隙間をほぼ二等分するリブ高さを有している。また、ガイド部２３は、タイトロケート部２４のリブ高さを漸減させる傾斜形状を有している。
【００１８】
更に、他方のロケートピン１３ｂ上方の周辺位置に、オーディオ用ブラケット５を、挿入時には素通可能で且つ手離時には係止可能な仮保持用係止部２６を設ける。
【００１９】
より具体的には、仮保持用係止部２６は、オーディオ取付部３の縁面６から挿入方向１２の手前側へ延びる縦面部２７と、この縦面部２７の手前側端部からオーディオ取付部３の内方へ向けて面直に延びる横面部２８とを有する平面視ほぼＬ字のフック形状を呈している。
【００２０】
仮保持用係止部２６の縦面部２７の内側部分の長さ寸法２９は、オーディオ用ブラケット５の肉厚寸法３０よりも長く、且つ、ロケートピン１３の長さ寸法３１よりも短く形成されている。
【００２１】
そして、ガイドリブ２５のタイトロケート部２４の長さ寸法３２は、オーディオ用ブラケット５の肉厚寸法３０よりも長く、且つ、縦面部２７の内側部分の長さ寸法２９よりも短く形成されている。ガイドリブ２５のガイド部２３は、仮保持用係止部２６の縦面部２７の内側部分の長さ寸法２９の範囲内の部分に形成されている。
【００２２】
また、仮保持用係止部２６の横面部２８の内側部分は、嵌合後期（タイトロケート時）に、オーディオ用ブラケット５の対応する（横面部１０の）端部と若干重なるように構成されている（重複代３３）。この重複代３３は、横長穴２２とロケートピン１３ａとの隙間と等しいか、それよりも若干小さなものとする。
【００２３】
更に、仮保持用係止部２６の横面部２８の内端部には、オーディオ用ブラケット５の対応する（横面部１０の）端部を、反対の側（一方のロケートピン１３ａの側）へ偏寄させる導入テーパ部３４が形成されている。
【００２４】
次に、この実施例の作用について説明する。
【００２５】
インストルメントパネル１のオーディオ取付部３に、車両用オーディオ装置２を取付ける場合、先ず、図４に示すように、オーディオ用ブラケット５を仮保持用係止部２６とは反対の側へいっぱいまで片寄せた状態で、各ロケートピン１３に対応するロケート穴１４（横長穴２２）を嵌合する。
【００２６】
次に、この状態で、図５、図６に順に示すように、ロケートピン１３に沿ってロケート穴１４を差込み、車両用オーディオ装置２の両側部に取付けたオーディオ用ブラケット５と、オーディオ取付部の縁面６とを当接させる。
【００２７】
この際、図５に示すように、嵌合初期にガイドリブ２５のガイド部２３がオーディオ用ブラケット５をロケートピン１３の軸心位置と横長穴２２の中央部とが一致するように横変位させる。そして、図６に示すように、嵌合後期にガイドリブ２５のタイトロケート部２４が横長穴２２をタイトロケートさせて、正確に位置決めを行わせる。
【００２８】
そして、図５、図６に示すように、挿入時には、仮保持用係止部２６は、オーディオ用ブラケット５を素通しする。しかし、図７に示すように、手離時には仮保持用係止部２６は、オーディオ用ブラケット５を係止することになる。これにより、手を離しても仮保持用係止部２６によって車両用オーディオ装置２を仮保持しておくことが可能となる。
【００２９】
最後に、車両用オーディオ装置２の両側部に取付けたオーディオ用ブラケット５と、オーディオ取付部の縁面６との間をネジ７で締結固定する。以上により、容易に取付けを行うことが可能となる。
【００３０】
この実施例によれば、上記したように、各ロケート穴１４を横長穴２２とすると共に、少なくとも一方のロケートピン１３ａに、嵌合初期にオーディオ用ブラケット５をロケートピン１３の軸心位置と横長穴の中央部とが一致するように横変位させるガイド部２３と、嵌合後期に横長穴２２にタイトロケート可能なタイトロケート部２４とを有するガイドリブ２５を設け、他方のロケートピン１３ｂ上方の周辺位置に、オーディオ用ブラケット５を挿入時には素通可能で且つ手離時には係止可能な仮保持用係止部２６を設けたことにより、オーディオ用ブラケット５を仮保持用係止部２６とは反対の側へ片寄せた状態でロケートピン１３にロケート穴１４（横長穴２２）を嵌合する操作を行うだけで、嵌合初期にガイドリブ２５のガイド部２３がオーディオ用ブラケット５をロケートピン１３の軸心位置と横長穴の中央部とが一致するように横変位させ、嵌合後期にガイドリブ２５のタイトロケート部２４が横長穴２２をタイトロケートさせると共に、仮保持用係止部２６が、オーディオ用ブラケット５を挿入時には素通しし且つ手離時には係止することにより、手を離しても仮保持用係止部２６によって車両用オーディオ装置２を仮保持しておくことが可能となり、その分、取付作業を容易化することができる。
【００３１】
そして、このような構成とすることにより、車両用オーディオ装置２の側部にスイッチ類などを配置するために、ロケートピン１３とロケート穴１４との位置を車両用オーディオ装置２の重心１５よりも奥側にせざるを得ないような場合であっても、車両用オーディオ装置２を確実に仮保持して容易に取付けることができる。
【００３２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３３】
【図１】本発明の実施例にかかる車両用オーディオ装置の取付構造を示す平面図である。
【図２】図１を手前側から見た図である。
【図３】図１のオーディオ取付部の斜視図である。
【図４】車両用オーディオ装置の取付工程を示す平面図である。
【図５】図４に続く工程図である。
【図６】図５に続く工程図である。
【図７】図６に続く工程図である。
【図８】従来例にかかる車両用オーディオ装置の取付構造を示す一部省略した側方断面図である。
【符号の説明】
【００３４】
１    インストルメントパネル
２    車両用オーディオ装置
３    オーディオ取付部
５    オーディオ用ブラケット
６    縁面
１２  挿入方向
１３  ロケートピン
１３ａ  一方のロケートピン
１３ｂ  他方のロケートピン
１４  ロケート穴
２２  横長穴
２３  ガイド部
２４  タイトロケート部
２５  ガイドリブ
２６  仮保持用係止部
【図１】
2007176310.tif 000003
【図２】
2007176310.tif 000004
【図３】
2007176310.tif 000005
【図４】
2007176310.tif 000006
【図５】
2007176310.tif 000007
【図６】
2007176310.tif 000008
【図７】
2007176310.tif 000009
【図８】
2007176310.tif 000010